(57)【要約】      （修正有）【課題】サクソフォーンのリングとストラップのフックの点接触によるリングの摩耗を防止することにより、サクソフォーン本体が、フックと接触することなく傷つくことのないようにするサクソフォーンのストラップ用補助具を提供する。【解決手段】サクソフォーンのストラップ用補助具１００は、プーリー状の金具１０と、プーリー状の金具を挟み込むように形成されているクリップ２０と、プーリー状の金具とクリップを締結するボルト３０ａとナット３０ｂを有している。プーリー状の金具は、プーリー外周面と、プーリー軸孔を有し、プーリー外周面は、凹状に形成され、サクソフォーンのリングＲと面的に当接する。【選択図】図１
0003219382.tif 000002
【実用新案登録請求の範囲】
【請求項１】
サクソフォーンのリングとサクソフォーン用のストラップを連結するサクソフォーンのストラップ用補助具であって、
プーリー状の金具と、前記プーリー状の金具を挟み込むように形成されているクリップと、前記プーリー状の金具と前記クリップを締結する締結部材を有し、
前記プーリー状の金具は、プーリー外周面と、プーリー軸孔を有し、前記プーリー外周面は、凹状に形成されており、
前記クリップは、本体部と、前記本体部と一体的に形成されている第１のクリップ片と、前記本体部と一体的に形成されている第２のクリップ片を有し、前記本体部はフック用孔と、前記第１のクリップ片は第１のクリップ軸孔と、前記第２のクリップ片は第２のクリップ軸孔を有し、
前記締結部材は、前記第１のクリップ軸孔と前記プーリー軸孔と前記第２のクリップ軸孔に嵌め込まれ、前記プーリー状の金具と前記クリップを締結するように形成されていることを特徴とするサクソフォーンのストラップ用補助具。
【請求項２】
前記締結部材は、金属または樹脂で形成されたボルトとナットであり、
前記クリップは、金属または樹脂で形成されていることを特徴とする請求項１に記載のサクソフォーンのストラップ用補助具。
【請求項３】
前記サクソフォーンのリングが、前記凹状のプーリー外周面に、面的に当接された状態で、前記プーリー状の金具を、前記第１のクリップ片と前記第２のクリップ片で挟み込み、
前記締結部材を、前記第１のクリップ軸孔と前記プーリー軸孔と前記第２のクリップ軸孔に嵌め込むことで、前記プーリー状の金具と前記クリップを締結させ、
前記ストラップのフックを、前記フック用孔に引っ掛けるようにして用いることを特徴とする請求項１または請求項２に記載のサクソフォーンのストラップ用補助具。
【考案の詳細な説明】
【技術分野】
【０００１】
本考案は、サクソフォーンのストラップ用補助具に関する。
【背景技術】
【０００２】
サクソフォーンは、管楽器の一種でサックスと略称で呼ばれており、テナーサックス、アルトサックス、バリトンサックス、ソプラノサックスなどの種類があり、重さを支えるためにストラップが用いられている。
【先行技術文献】
【特許文献】
【０００３】
【特許文献１】特開２００７−１１４７１３号公報
【考案の概要】
【考案が解決しようとする課題】
【０００４】
上記のストラップは、スナップ型などのフックをサクソフォーンのリングに引っ掛け、首、肩などにかけて使用するものであるが、特に金属のフックの場合、フックとリングが点で接触しており、この部分が、徐々に磨耗し、外れることもあり、演奏中にサクソフォーンが落下することがある。また、フックとリングが点で接触していることにより、震動がフックに伝わりにくいという問題があり、さらに、金属のフックがサクソフォーン本体に接触することで雑音が発生することやサクソフォーンを傷つけるという問題もある。
【０００５】
本考案は、こうした点に鑑みてなされたものであり、サクソフォーンのリングとストラップのフックの点での接触によるリングの摩耗を防止することにより、サクソフォーン本体の落下を防止するもので、また、サクソフォーン本体がフックと接触することなく傷つくことのないようにするサクソフォーンのストラップ用補助具を提供することである。
【課題を解決するための手段】
【０００６】
上記課題を解決するために、本考案に係るサクソフォーンのストラップ用補助具は、サクソフォーンのリングとサクソフォーン用のストラップを連結するサクソフォーンのストラップ用補助具であって、プーリー状の金具と、前記プーリー状の金具を挟み込むように形成されているクリップと、前記プーリー状の金具と前記クリップを締結する締結部材を有し、前記プーリー状の金具は、プーリー外周面と、プーリー軸孔を有し、前記プーリー外周面は、凹状に形成されており、前記クリップは、本体部と、前記本体部と一体的に形成されている第１のクリップ片と、前記本体部と一体的に形成されている第２のクリップ片を有し、前記本体部はフック用孔と、前記第１のクリップ片は第１のクリップ軸孔と、前記第２のクリップ片は第２のクリップ軸孔を有し、前記締結部材は、前記第１のクリップ軸孔と前記プーリー軸孔と前記第２のクリップ軸孔に嵌め込まれ、前記プーリー状の金具と前記クリップを締結するように形成されていることを特徴とする。
【０００７】
本考案に係るサクソフォーンのストラップ用補助具の態様について、前記締結部材は、金属または樹脂で形成されたボルトとナットであり、前記クリップは、金属または樹脂で形成されていることが好ましい。
【０００８】
本考案に係るサクソフォーンのストラップ用補助具の態様について、前記サクソフォーンのリングが、前記凹状のプーリー外周面に、面的に当接された状態で、前記プーリー状の金具を、前記第１のクリップ片と前記第２のクリップ片で挟み込み、前記締結部材を、前記第１のクリップ軸孔と前記プーリー軸孔と前記第２のクリップ軸孔に嵌め込むことで、前記プーリー状の金具と前記クリップを締結させ、前記ストラップのフックを、前記フック用孔に引っ掛けるようにして用いることが好ましい。
【考案の効果】
【０００９】
本考案によれば、サクソフォーンのリングとストラップのフックの点での接触によるリングの摩耗を防止することにより、サクソフォーン本体の落下を防止するもので、また、サクソフォーン本体がフックと接触することがないことから傷つくことがなく、面で接触することにより、サクソフォーンの振動が金属性のフックに良く伝わり、共鳴をもたらすサクソフォーンのストラップ用補助具を提供することができる。
【図面の簡単な説明】
【００１０】
【図１】実施形態のサクソフォーンのストラップ用補助具の一例を示す模式図である。
【図２】実施形態のサクソフォーンのストラップ用補助具の各構成の一例を示す参考図である。
【考案を実施するための形態】
【００１１】
以下、本考案のサクソフォーンのストラップ用補助具１００について図１及び図２を用いて説明する。図１（ａ）は、サクソフォーンのストラップ用補助具１００の一例を示しており、サクソフォーンのフックＦが接続されている一例を示す模式図である。図１（ｂ）は、サクソフォーンのストラップ用補助具１００の一例を示す参考図である。図１（ｃ）は、サクソフォーンのストラップ用補助具１００が、サクソフォーンのリングＲに接続されている一例を示す参考図である。図２（ａ）は、プーリー状の金具１０の一例を示す参考図である。図２（ｂ）は、クリップ２０の一例を示す参考図である。及び図２（ｃ）は、締結部材の一例であるボルト３０ａとナット３０ｂの一例を示す参考図である。
【００１２】
本考案の一例である実施形態のサクソフォーンのストラップ用補助具１００は、サクソフォーンのリングＲとストラップのフックＦを連結するための補助具である。サクソフォーンのストラップ用補助具１００は、プーリー状の金具１０と、プーリー状の金具１０を挟み込むように形成されているクリップ２０と、プーリー状の金具１０とクリップ２０を締結する締結部材の一例としてのボルト３０ａとナット３０ｂを有している。
【００１３】
プーリー状の金具１０は、プーリー外周面１０ａと、プーリー軸孔１０ｂを有しており、プーリー外周面１０ａは、凹状に形成されている。プーリー外周面１０ａが、このように凹状に形成されていることにより、後述するように、サクソフォーンのリングＲと面的に当接、つまり接触することができる構成となっている。
【００１４】
クリップ２０は、本体部２１と、本体部２１と一体的に形成されている第１のクリップ片２２と、本体部２１と一体的に形成されている第２のクリップ片２３を有している。
【００１５】
本体部２１はフック用孔２１ａを有しており、第１のクリップ片２２は第１のクリップ軸孔２２ａを有しており、また、第２のクリップ片２３は第２のクリップ軸孔２３ａを有している。第１のクリップ片２２と第２のクリップ片２３は、対向するように形成されており、また、第１のクリップ軸孔２２ａと第２のクリップ軸孔２３ａは、対向するように形成されている。対向しているこれらの間にプーリー状の金具１０が嵌め込まれるような構成となっている。
【００１６】
ボルト３０ａは、第１のクリップ軸孔２２ａとプーリー軸孔１０ｂと第２のクリップ軸孔２３ａに嵌め込まれるように形成されており、ナット３０ｂを用いて締め付けてプーリー状の金具１０とクリップ２０を締結する。なお、ボルト３０ａとナット３０ｂは、一例であり、ネジなどの他の部材であってもよく、適宜最適な部材を選択すればよい。
【００１７】
実施形態において、プーリー状の金具１０は、金属で形成されており、また、締結部材の一例でボルト３０ａとナット３０ｂ及びクリップ２０は、金属または樹脂で形成されていることが好ましいが、これに限定されず適宜最適なものを選択すればよい。
【００１８】
上記の構成を有するサクソフォーンのストラップ用補助具１００は、サクソフォーンのリングＲに掛けるように形成されており、具体的には、まず、サクソフォーンのリングＲが、凹状のプーリー外周面１０ａに、面的に当接するように、つまりプーリー状の金具１０をリングＲの中に挿入する。そしてこの状態で、プーリー状の金具１０を、第１のクリップ片２２と第２のクリップ片２３で挟み込む。次に、ボルト３０ａを、第１のクリップ軸孔２２ａとプーリー軸孔１０ｂと第２のクリップ軸孔２３ａに嵌め込み、ボルト３０ａをナット３０ｂで締め付ける。このようにすることで、プーリー状の金具１０とクリップ２０が一体的に締結される。次に、ストラップのフックＦを、フック用孔２１ａに引っ掛けることで、サクソフォーンとストラップが、サクソフォーンのストラップ用補助具１００を介して連結されることになる。なお、上記の説明は一例であり、これに限定されずサクソフォーンとストラップが、サクソフォーンのストラップ用補助具１００を介して連結されればよい。
【００１９】
本考案のサクソフォーンのストラップ用補助具１００は、上記の構成のとおり、サクソフォーンのリングＲとストラップのフックＦの点での接触によるリングＲの摩耗を防止してフックＦがサクソフォーン本体に接触することのないようにし傷つけることのない補助具として優れた効果を有するものである。すなわち、サクソフォーンのストラップ用補助具は、サクソフォーンのリングＲと点接触ではなく面接触することにより、サクソフォーンのリングＲが摩耗することなく、また、雑音の発生を無くすことができ、さらに、この面接触によりサクソフォーンのストラップ用補助具１００が、より振動することができ、サックスの響きがよくなるという顕著な効果を奏している。
【００２０】
以上、本考案の有する特徴及び優れた点を上記実施形態に記載したが、本考案は、本願の実用新案請求の範囲で使用されている言葉を広く一般的な意味に拡張して実施することができる。
【００２１】
また、本考案のサクソフォーンのストラップ用補助具は、大きさ、形状、素材の種類、厚さ、重さなどについては多様な実施形態が可能であり、それらについて本実施形態と異なる形態による実施は、本考案の技術的範囲に含まれる。
【符号の説明】
【００２２】
１００  サクソフォーンのストラップ用補助具
１０    プーリー状の金具
１０ａ  プーリー外周面
１０ｂ  プーリー軸孔
２０    クリップ
２１    本体部
２１ａ  フック用孔
２２    第１のクリップ片
２２ａ  第１のクリップ軸孔
２３    第２のクリップ片
２３ａ  第２のクリップ軸孔
３０ａ  ボルト
３０ｂ  ナット
Ｒ      リング
Ｆ      フック
【図１】
0003219382.tif 000003
【図２】
0003219382.tif 000004